(57)【特許請求の範囲】
【請求項１】
モバイル端末により、電子装置に格納されたアプリケーションに含まれるアプリケーション・コンテンツ識別子を読み取るステップと、
前記モバイル端末により、前記アプリケーションに含まれる前記アプリケーション・コンテンツ識別子を出力するステップと、
前記モバイル端末により、第１の選択動作を前記アプリケーションに含まれる出力ターゲット・アプリケーション・コンテンツ識別子で検出するステップと、
前記モバイル端末により、前記第１の選択動作に応答して、前記出力ターゲット・アプリケーション・コンテンツ識別子にマッチする制御オプション・リストを出力するステップと、
前記モバイル端末により、第２の選択動作を前記制御オプション・リストに含まれるコンテンツ制御オプションの何れか１つで検出するステップと、
前記モバイル端末により、前記第２の選択動作に応答して、選択されたコンテンツ制御オプションにマッチするコンテンツ制御命令を前記電子装置に送信し、前記アプリケーションを用いることによって、前記出力ターゲット・アプリケーション・コンテンツ識別子が属するアプリケーション・コンテンツに対して制御動作を実施するように前記電子装置をトリガするステップと、を含み、
前記制御オプション・リストは光効果制御オプションをさらに含み、
前記モバイル端末により、第３の選択動作を前記制御オプション・リストに含まれる光効果制御オプションの何れか１つで検出するステップと、
前記モバイル端末により、前記第３の選択動作に応答して、選択された光効果制御オプションにマッチする光効果制御命令を前記電子装置に送信して、前記アプリケーションにより出力された光効果を制御するように前記電子装置をトリガするステップと、をさらに含む、電子装置制御方法。
【請求項２】
前記モバイル端末により、前記電子装置に格納されたアプリケーションに含まれるアプリケーション・コンテンツ識別子を読み取るステップの前に、前記モバイル端末により、無線リンクを前記電子装置と確立するステップをさらに含む、請求項１に記載の方法。
【請求項３】
前記コンテンツ制御オプションは再生オプション、一時停止オプション、前曲オプション、次曲オプション、ボリューム・アップ・オプション、およびボリューム・ダウン・オプションまたはそれらの組合せを含む、請求項１または２に記載の方法。
【請求項４】
前記光効果制御オプションは、ブリージング光効果制御オプション、トゥインクリング光効果制御オプション、勾配光効果制御オプション、および回転光効果制御オプションまたはそれらの組合せを含む、請求項１に記載の方法。
【請求項５】
前記モバイル端末により、メディア・コンテンツを前記電子装置に送信するステップであって、前記メディア・コンテンツはオーディオ、ビデオ、テキスト、およびエモーティコンまたはそれらの組合せを含む、ステップをさらに含む、請求項１または２に記載の方法。
【請求項６】
電子装置により、モバイル端末との無線リンクを確立して、前記モバイル端末が前記電子装置に格納されたアプリケーションに含まれるアプリケーション・コンテンツ識別子を読み取り、前記モバイル端末が前記アプリケーションに含まれる前記アプリケーション・コンテンツ識別子を出力し、前記モバイル端末が、第１の選択動作を前記アプリケーションに含まれる出力ターゲット・アプリケーション・コンテンツ識別子で検出し、前記モバイル端末が、前記第１の選択動作に応答して、前記出力ターゲット・アプリケーション・コンテンツ識別子にマッチする制御オプション・リストを出力し、前記モバイル端末が、第２の選択動作を前記制御オプション・リストに含まれるコンテンツ制御オプションの何れか１つで検出するようにするステップと、
前記電子装置により、前記第２の選択動作に応答して、前記モバイル端末により送信された、選択されたコンテンツ制御オプションにマッチするコンテンツ制御命令を受信するステップと、
前記電子装置により、前記コンテンツ制御命令に応答して、前記アプリケーションを用いることによって、前記出力ターゲット・アプリケーション・コンテンツ識別子が属するアプリケーション・コンテンツに対して制御動作を実施するステップと、を含み、
前記制御オプション・リストは光効果制御オプションをさらに含み、
前記モバイル端末は第３の選択動作を前記制御オプション・リストに含まれる光効果制御オプションの何れか１つで検出し、
前記電子装置により、前記無線リンクを用いることによって、前記モバイル端末により前記第３の選択動作に応答して送信された選択された光効果制御オプションにマッチする光効果制御命令を受信するステップと、
前記電子装置により、前記光効果制御命令に応答して、前記アプリケーションにより出力された光効果を制御するステップと、をさらに含む、電子装置制御方法。
【請求項７】
前記コンテンツ制御オプションは再生オプション、一時停止オプション、前曲オプション、次曲オプション、ボリューム・アップ・オプション、およびボリューム・ダウン・オプションまたはそれらの組合せを含む、請求項６に記載の方法。
【請求項８】
前記光効果制御オプションは、ブリージング光効果制御オプション、トゥインクリング光効果制御オプション、勾配光効果制御オプション、および回転光効果制御オプションまたはそれらの組合せを含む、請求項６に記載の方法。
【請求項９】
前記電子装置により、前記モバイル端末により送信されたメディア・コンテンツを受信するステップであって、前記メディア・コンテンツはオーディオ、ビデオ、テキスト、およびエモーティコンまたはそれらの組合せを含む、ステップをさらに含む、請求項６に記載の方法。
【請求項１０】
電子装置に格納されたアプリケーションに含まれるアプリケーション・コンテンツ識別子を読み取るように構成された読取りユニットと、
前記アプリケーションに含まれる前記アプリケーション・コンテンツ識別子を出力するように構成された出力ユニットと、
第１の選択動作を前記アプリケーションに含まれる出力ターゲット・アプリケーション・コンテンツ識別子で検出するように構成された検出ユニットと、
第２の選択動作に応答して、無線リンクを用いることによって、選択されたコンテンツ制御オプションにマッチするコンテンツ制御命令を前記電子装置に送信し、前記アプリケーションを用いることによって、前記出力ターゲット・アプリケーション・コンテンツ識別子が属するアプリケーション・コンテンツに対して制御動作を実施するように前記電子装置をトリガするように構成された送信ユニットと、
を備え、
前記出力ユニットは、前記第１の選択動作に応答して、前記出力ターゲット・アプリケーション・コンテンツ識別子にマッチする制御オプション・リストを出力するようにさらに構成され、
前記検出ユニットは、前記第２の選択動作を前記制御オプション・リストに含まれるコンテンツ制御オプションの何れか１つで検出するようにさらに構成され、
前記制御オプション・リストは光効果制御オプションをさらに含み、前記検出ユニットはさらに、第３の選択動作を前記制御オプション・リストに含まれる光効果制御オプションの何れか１つで検出するように構成され、
前記送信ユニットはさらに、前記第３の選択動作に応答して、選択された光効果制御オプションにマッチする光効果制御命令を前記電子装置に送信して、前記アプリケーションにより出力された光効果を制御するように前記電子装置をトリガするように構成される、モバイル端末。
【請求項１１】
前記読取りユニットが前記電子装置に格納された前記アプリケーションに含まれる前記アプリケーション・コンテンツ識別子を読み取る前に、前記モバイル端末と前記電子装置の間で無線リンクを確立するように構成された無線リンク・ユニットをさらに備える、請求項１０に記載のモバイル端末。
【請求項１２】
前記コンテンツ制御オプションは再生オプション、一時停止オプション、前曲オプション、次曲オプション、ボリューム・アップ・オプション、およびボリューム・ダウン・オプションまたはそれらの組合せを含む、請求項１０または１１に記載のモバイル端末。
【請求項１３】
前記光効果制御オプションは、ブリージング光効果制御オプション、トゥインクリング光効果制御オプション、勾配光効果制御オプション、および回転光効果制御オプションまたはそれらの組合せを含む、請求項１１に記載のモバイル端末。
【請求項１４】
前記送信ユニットはさらに、メディア・コンテンツを前記電子装置に送信するように構成され、前記メディア・コンテンツはオーディオ、ビデオ、テキスト、およびエモーティコンまたはそれらの組合せを含む、請求項１０または１１に記載のモバイル端末。
【請求項１５】
電子装置であって、
前記電子装置とモバイル端末の間で無線リンクを確立して、前記モバイル端末が前記電子装置に格納されたアプリケーションに含まれるアプリケーション・コンテンツ識別子を読み取り、前記モバイル端末が前記アプリケーションに含まれる前記アプリケーション・コンテンツ識別子を出力し、前記モバイル端末が第１の選択動作を前記アプリケーションに含まれる出力ターゲット・アプリケーション・コンテンツ識別子で検出し、前記モバイル端末が前記第１の選択動作に応答して、前記出力ターゲット・アプリケーション・コンテンツ識別子にマッチする制御オプション・リストを出力し、前記モバイル端末が第２の選択動作を前記制御オプション・リストに含まれるコンテンツ制御オプションの何れか１つで検出するようにするように構成された無線リンク・ユニットと、
前記第２の選択動作に応答して、前記モバイル端末により送信された、選択されたコンテンツ制御オプションにマッチするコンテンツ制御命令を受信するように構成された受信ユニットと、
前記コンテンツ制御命令に応答して、前記アプリケーションを用いることによって、前記出力ターゲット・アプリケーション・コンテンツ識別子が属するアプリケーション・コンテンツに対して制御動作を実施するように構成された制御ユニットと、を備え、
前記制御オプション・リストは光効果制御オプションをさらに含み、
前記モバイル端末は、第３の選択動作を前記制御オプション・リストに含まれる光効果制御オプションの何れか１つで検出し、前記受信ユニットはさらに、前記第３の選択動作に応答して、前記モバイル端末により送信された、選択された光効果制御オプションにマッチする光効果制御命令を受信するように構成され、
前記制御ユニットはさらに、前記光効果制御命令に応答して、前記アプリケーションにより出力された光効果を制御するように構成される、電子装置。
【請求項１６】
前記コンテンツ制御オプションは再生オプション、一時停止オプション、前曲オプション、次曲オプション、ボリューム・アップ・オプション、およびボリューム・ダウン・オプションまたはそれらの組合せを含む、請求項１５に記載の電子装置。
【請求項１７】
前記光効果制御オプションは、ブリージング光効果制御オプション、トゥインクリング光効果制御オプション、勾配光効果制御オプション、および回転光効果制御オプションまたはそれらの組合せを含む、請求項１５に記載の電子装置。
【請求項１８】
前記受信ユニットはさらに、前記無線リンクを用いることによって、前記モバイル端末により送信されたメディア・コンテンツを受信するように構成され、前記メディア・コンテンツはオーディオ、ビデオ、テキスト、およびエモーティコンまたはそれらの組合せを含む、請求項１５に記載の電子装置。
【請求項１９】
請求項１０乃至１４の何れか１項に記載のモバイル端末と請求項１５乃至１８の何れか１項に記載の電子装置とを備える、電子装置制御システム。
【発明の詳細な説明】
【技術分野】
【０００１】
本開示はインターネット技術の分野に関し、特に、電子装置制御方法およびシステム、ならびに関連装置に関する。
【背景技術】
【０００２】
現在、（子供の早期学習マシンのような）商用的に利用可能な電子装置の性能がより高くなると、より多くのアプリケーション、例えば、電子書籍アプリケーション、ジグゾー・パズル・アプリケーション、会話シャドーイング・アプリケーション、進路同期アプリケーション、および子供用マルチメディア再生アプリケーションのような一般的なアプリケーションを電子装置にインストールすることができる。しかし、実際には、電子装置にインストールされたアプリケーションに含まれるアプリケーション・コンテンツを制御する（例えば、子供用マルチメディア再生アプリケーションに含まれるナーサリ・ライムの再生を制御する）必要があるとき、当該アプリケーションに含まれるアプリケーション・コンテンツを、電子装置で動作を実施することによってのみ制御でき、電子装置が遠くにあるとき、当該アプリケーションに含まれるアプリケーション・コンテンツに対する有効な制御を当該アプリケーション・コンテンツに対して実装できないことが分かる。
【発明の概要】
【課題を解決するための手段】
【０００３】
本発明の諸実施形態では電子装置制御方法およびシステム、ならびに関連装置を開示し、その結果、アプリケーションに含まれるアプリケーション・コンテンツを、電子装置が遠くにある場合に効果的に制御することができる。
【０００４】
本発明の１実施形態の第１の態様では、モバイル端末により、電子装置に格納されたアプリケーションに含まれるアプリケーション・コンテンツ識別子を読み取るステップと、当該モバイル端末により、当該アプリケーションに含まれる当該アプリケーション・コンテンツ識別子を出力するステップと、当該モバイル端末により、第１の選択動作を当該アプリケーションに含まれる出力ターゲット・アプリケーション・コンテンツ識別子で検出するステップと、当該モバイル端末により、当該第１の選択動作に応答して、当該ターゲット・アプリケーション・コンテンツ識別子にマッチする制御オプション・リストを出力するステップと、当該モバイル端末により、第２の選択動作を当該制御オプション・リストに含まれるコンテンツ制御オプションの何れか１つで検出するステップと、当該モバイル端末により、当該第２の選択動作に応答して、選択されたコンテンツ制御オプションにマッチするコンテンツ制御命令を電子装置に送信し、当該アプリケーションを用いることによって、当該ターゲット・アプリケーション・コンテンツ識別子が属するアプリケーション・コンテンツに対して制御動作を実施するように電子装置をトリガするステップと、を含む電子装置制御方法を開示する。
【０００５】
本発明の１実施形態の第２の態様では、電子装置により、モバイル端末との無線リンクを確立して、当該モバイル端末が電子装置に格納されたアプリケーションに含まれるアプリケーション・コンテンツ識別子を読み取り、当該モバイル端末が当該アプリケーションに含まれる当該アプリケーション・コンテンツ識別子を出力し、当該モバイル端末が第１の選択動作を当該アプリケーションに含まれる出力ターゲット・アプリケーション・コンテンツ識別子で検出し、当該モバイル端末が、当該第１の選択動作に応答して、当該ターゲット・アプリケーション・コンテンツ識別子にマッチする制御オプション・リストを出力し、当該モバイル端末が第２の選択動作を当該制御オプション・リストに含まれるコンテンツ制御オプションの何れか１つで検出するようにするステップと、当該電子装置により、当該第２の選択動作に応答して、当該モバイル端末により送信された、選択されたコンテンツ制御オプションにマッチするコンテンツ制御命令を受信するステップと、当該電子装置により、当該コンテンツ制御命令に応答して、当該アプリケーションを用いることによって、当該ターゲット・アプリケーション・コンテンツ識別子が属するアプリケーション・コンテンツに対して制御動作を実施するステップとを含む電子装置制御方法を開示する。
【０００６】
本発明の１実施形態の第３の態様では、電子装置に格納されたアプリケーションに含まれるアプリケーション・コンテンツ識別子を読み取るように構成された読取りユニットと、当該アプリケーションに含まれる当該アプリケーション・コンテンツ識別子を出力するように構成された出力ユニットと、第１の選択動作を当該アプリケーションに含まれる出力ターゲット・アプリケーション・コンテンツ識別子で検出するように構成された検出ユニットと、当該第２の選択動作に応答して、無線リンクを用いることによって、選択されたコンテンツ制御オプションにマッチするコンテンツ制御命令を当該電子装置に送信し、当該アプリケーションを用いることによって、当該ターゲット・アプリケーション・コンテンツ識別子が属するアプリケーション・コンテンツに対して制御動作を実施するように当該電子装置をトリガするように構成された送信ユニットとを備え、当該出力ユニットは、当該第１の選択動作に応答して、当該ターゲット・アプリケーション・コンテンツ識別子にマッチする制御オプション・リストを出力するようにさらに構成され、当該検出ユニットは、第２の選択動作を当該制御オプション・リストに含まれるコンテンツ制御オプションの何れか１つで検出するようにさらに構成される、モバイル端末を開示する。
【０００７】
本発明の１実施形態の第４の態様では、電子装置であって、電子装置およびモバイル端末の間で無線リンクを確立して、当該モバイル端末が当該電子装置に格納されたアプリケーションに含まれるアプリケーション・コンテンツ識別子を読み取り、当該モバイル端末が当該アプリケーションに含まれる当該アプリケーション・コンテンツ識別子を出力し、当該モバイル端末が第１の選択動作を当該アプリケーションに含まれる出力ターゲット・アプリケーション・コンテンツ識別子で検出し、当該モバイル端末が、当該第１の選択動作に応答して、当該ターゲット・アプリケーション・コンテンツ識別子にマッチする制御オプション・リストを出力し、当該モバイル端末が第２の選択動作を当該制御オプション・リストに含まれるコンテンツ制御オプションの何れか１つで検出するようにするように構成された無線リンク・ユニットと、当該第２の選択動作に応答して、当該モバイル端末により送信された、選択されたコンテンツ制御オプションにマッチするコンテンツ制御命令を受信するように構成された受信ユニットと、当該コンテンツ制御命令に応答して、当該アプリケーションを用いることによって、当該ターゲット・アプリケーション・コンテンツ識別子が属するアプリケーション・コンテンツに対して制御動作を実施するように構成された制御ユニットとを備えた電子装置を開示する。
【０００８】
本発明の１実施形態の第５の態様では、本発明の実施形態の第３の態様で開示したモバイル端末と本発明の実施形態の第４の態様で開示した電子装置とを備える電子装置制御システムを開示する。
【０００９】
本発明の諸実施形態では、モバイル端末が、電子装置に格納されたアプリケーションに含まれるアプリケーション・コンテンツ識別子を読み取り、当該アプリケーションに含まれる当該アプリケーション・コンテンツ識別子を出力し、第１の選択動作が当該アプリケーションに含まれる出力ターゲット・アプリケーション・コンテンツ識別子で検出された後、当該ターゲット・アプリケーション・コンテンツ識別子にマッチする制御オプション・リストを出力でき、それに基づいて、モバイル端末は、第２の選択動作を当該制御オプション・リストに含まれるコンテンツ制御オプションの何れか１つで検出し、選択されたコンテンツ制御オプションにマッチするコンテンツ制御命令を電子装置に送信し、当該アプリケーションを用いることによって、当該ターゲット・アプリケーション・コンテンツ識別子が属するアプリケーション・コンテンツに対して制御動作を実施するように電子装置をトリガすることができる。したがって、本発明の諸実施形態では、アプリケーションに含まれるアプリケーション・コンテンツを、電子装置が遠くにある場合に効果的に制御することができる。
【００１０】
本発明の諸実施形態の技術的解決策をより明確に説明するために、以下では当該実施形態で必要な添付図面を簡単に説明する。明らかに、以下の説明における添付図面は本発明の幾つかの諸実施形態を示すにすぎず、当業者は依然として創造的努力なしにこれらの添付図面から他の図面を導出することができる。
【図面の簡単な説明】
【００１１】
【図１】本発明の１実施形態に従う電子装置制御方法の略流れ図である。
【図２】本発明の１実施形態に従うモバイル端末のインタフェース変化の略図である。
【図３】本発明の１実施形態に従うモバイル端末の別のインタフェース変化の略図である。
【図４】本発明の１実施形態に従う別の電子装置制御方法の略流れ図である。
【図５】本発明の１実施形態に従うモバイル端末の略構造図である。
【図６】本発明の１実施形態に従う電子装置の略構造図である。
【図７】本発明の１実施形態に従う電子装置制御システムの略構造図である。
【発明を実施するための形態】
【００１２】
以下ではさらに添付図面を参照して本発明の諸実施形態における技術的解決策を明確に詳細に説明する。明らかに、説明する実施形態は本発明の諸実施形態の全部ではなく一部にすぎない。当業者が創造的努力なしに本発明の諸実施形態に基づいて得る他の全ての実施形態は本発明の保護範囲内に入るものとする。
【００１３】
本発明の諸実施形態では電子装置制御方法およびシステム、ならびに関連装置を開示し、その結果、アプリケーションに含まれるアプリケーション・コンテンツを、電子装置が遠くにある場合に効果的に制御することができる。別の詳細な説明は以下の通りである。
【００１４】
図１を参照すると、図１は本発明の１実施形態に従う電子装置制御方法の略流れ図である。図１に示すように、当該方法が以下のステップを含んでもよい。
【００１５】
Ｓ１０１：モバイル端末が電子装置と無線リンクを確立する。
【００１６】
本発明の当該実施形態では、モバイル端末が、携帯電話、タブレット・コンピュータ、パームトップ・コンピュータ、およびモバイル・インターネット装置（ＭＩＤ）のようなモバイル端末を含んでもよく、本発明の当該実施形態では限定されない。
【００１７】
本発明の当該実施形態では、電子装置が、子供の早期学習マシン、学習マシン、学生タブレット・コンピュータ、およびアプリケーションをインストールした別の電子装置を含んでもよく、本発明の当該実施形態では限定されない。
【００１８】
本発明の当該実施形態では、モバイル端末は、無線リンクを電子装置とＢｌｕｅｔｏｏｔｈ（登録商標）方式で確立してもよく、または、モバイル端末と電子装置が（Ｗｉ−Ｆｉホットスポットで提供される）同一のローカル・エリア・ネットワークに配置されるとき、モバイル端末は、無線リンクを電子装置とＷｉ−Ｆｉ方式で確立してもよく、または、モバイル端末と電子装置が異なるローカル・エリア・ネットワークに配置されるとき、モバイル端末はクラウド・サーバを用いて無線リンクを電子装置と確立してもよい。
【００１９】
Ｓ１０２：モバイル端末が、無線リンクを用いることによって、電子装置に格納されたアプリケーションに含まれるアプリケーション・コンテンツ識別子を読み取る。
【００２０】
本発明の当該実施形態では、ステップＳ１０１で無線リンクを電子装置と確立した後、モバイル端末がユーザにより入力されたアプリケーション・コンテンツ識別子読取り命令を検出してもよい。当該アプリケーション・コンテンツ識別子命令は、電子装置に格納されたアプリケーションに含まれるアプリケーション・コンテンツ識別子を読み取るようにモバイル端末に指示するために使用される。対応して、モバイル端末は、当該アプリケーション・コンテンツ識別子読取り命令に応答して、アプリケーション・コンテンツ識別子読取り要求を電子装置に送信し、電子装置により送信されたアプリケーションに含まれるアプリケーション・コンテンツ識別子を受信してもよい。
【００２１】
本発明の当該実施形態では、ステップＳ１０１で無線リンクを電子装置と確立した後、モバイル端末は電子装置の識別子情報（例えば、名前）を表示してもよい。このように、ユーザがモバイル端末に表示された電子装置の識別子情報をタップしたとき、モバイル端末は、ユーザにより入力されたアプリケーション・コンテンツ識別子読取り命令を検出することができる。
【００２２】
本発明の当該実施形態では、ステップＳ１０１で無線リンクを電子装置と確立した後、モバイル端末はまた、デフォルトでアプリケーション・コンテンツ識別子読取り要求をモバイル端末に無線接続された電子装置（１つまたは複数）に送信し、電子装置により送信されたアプリケーションに含まれるアプリケーション・コンテンツ識別子を受信してもよい。
【００２３】
Ｓ１０３：モバイル端末が、アプリケーションに含まれるアプリケーション・コンテンツ識別子を出力する。
【００２４】
本発明の当該実施形態では、当該アプリケーション・コンテンツ識別子がアプリケーション・コンテンツの名前であってもよい。例えば、当該アプリケーション・コンテンツがナーサリ・ライム、ビデオまたはゲームである場合、当該アプリケーション・コンテンツ識別子がナーサリ・ライム、ビデオまたはゲームの名前であってもよく、当該アプリケーション・コンテンツが電子書籍である場合、当該アプリケーション・コンテンツ識別子が当該電子書籍の（第１章および第２章のような）チャプタ・シーケンス番号であってもよい。
【００２５】
Ｓ１０４：モバイル端末が第１の選択動作を、当該アプリケーションに含まれる出力ターゲット・アプリケーション・コンテンツ識別子で検出する。
【００２６】
本発明の当該実施形態では、第１の選択動作がタップ動作またはダブル・タップ動作であってもよい。
【００２７】
Ｓ１０５：モバイル端末が、当該第１の選択動作に応答して、当該ターゲット・アプリケーション・コンテンツ識別子にマッチする制御オプション・リストを出力する。
【００２８】
本発明の当該実施形態では、当該ターゲット・アプリケーション・コンテンツ識別子にマッチする御オプション・リストが、複数の異なるコンテンツ制御オプションを含んでもよい。例えば、当該コンテンツ制御オプションは、再生オプション、一時停止オプション、前曲オプション、次曲オプション、ボリューム・アップ・オプション、およびボリューム・ダウン・オプションまたはそれらの組合せを含む。
【００２９】
Ｓ１０６：モバイル端末が第２の選択動作を当該制御オプション・リストに含まれるコンテンツ制御オプションの何れか１つで検出する。
【００３０】
本発明の当該実施形態では、第２の選択動作がタップ動作またはダブル・タップ動作であってもよい。
【００３１】
Ｓ１０７：モバイル端末が、当該第２の選択動作に応答し、無線リンクを用いることによって、選択されたコンテンツ制御オプションにマッチするコンテンツ制御命令を電子装置に送信して、当該アプリケーションを用いることによって、当該ターゲット・アプリケーション・コンテンツ識別子が属するアプリケーション・コンテンツに対して制御動作を実施するように電子装置をトリガする。
【００３２】
例えば、図２を参照すると、図２は、本発明の１実施形態に従うモバイル端末のインタフェース変化の略図である。図２に示すように、ステップＳ１０３でモバイル端末により出力されたアプリケーションに含まれるアプリケーション・コンテンツ識別子が、子供用マルチメディア再生アプリケーションに含まれるＬｉｔｔｌｅ  Ｒａｂｂｉｔ、Ｌｉｔｔｌｅ  Ｄｏｎｋｅｙ、およびＣｌａｐ  Ｙｏｕｒ  Ｈａｎｄｓのようなアプリケーション・コンテンツ識別子、英語版フェアリー・テイル・アプリケーション（電子書籍アプリケーション）に含まれる第１章、第２章、および第３章のようなアプリケーション・コンテンツ識別子、および会話シャドーイング・アプリケーションに含まれるレッスン１、レッスン２、およびレッスン３のようなアプリケーション・コンテンツ識別子を含んでもよいと仮定する。ステップＳ１０４においてモバイル端末が当該第１の選択動作（即ち、タップ動作）を子供用マルチメディア再生アプリケーションに含まれる出力ターゲット・アプリケーション・コンテンツ識別子Ｌｉｔｔｌｅ  Ｒａｂｂｉｔで検出したとき、モバイル端末は、当該第１の選択動作に応答して、ステップＳ１０５においてターゲット・アプリケーション・コンテンツ識別子Ｌｉｔｔｌｅ  Ｒａｂｂｉｔにマッチする制御オプション・リストを出力してもよい。図２に示すように、当該ターゲット・アプリケーション・コンテンツ識別子Ｌｉｔｔｌｅ  Ｒａｂｂｉｔにマッチする制御オプション・リストが、再生オプションの１つまたは複数のコンテンツ制御オプション、一時停止オプション、前曲オプション、次曲オプション、ボリューム・アップ・オプション、およびボリューム・ダウン・オプションを含んでもよい。ステップＳ１０６でモバイル端末が当該第２の選択動作（即ち、タップ動作）を当該制御オプション・リストに含まれる再生制御オプションで検出したとき、ステップＳ１０７でモバイル端末は、当該第２の選択動作に応答して、無線リンクを用いることによって、選択された再生制御オプションにマッチする再生制御命令を電子装置に送信して、当該アプリケーションを用いることによって、再生動作を当該ターゲット・アプリケーション・コンテンツ識別子Ｌｉｔｔｌｅ  Ｒａｂｂｉｔが属するアプリケーション・コンテンツに実施するように電子装置をトリガしてもよい。ステップＳ１０６でモバイル端末が当該第２の選択動作（即ち、タップ動作）を当該制御オプション・リストに含まれるボリューム・アップ制御オプションで検出したとき、ステップＳ１０７で、モバイル端末は、当該第２の選択動作に応答して、無線リンクを用いることによって、当該選択されたボリューム・アップ制御オプションにマッチするボリューム・アップ制御命令を電子装置に送信して、当該アプリケーションを用いることによって、ボリューム・アップ動作を当該ターゲット・アプリケーション・コンテンツ識別子Ｌｉｔｔｌｅ  Ｒａｂｂｉｔが属するアプリケーション・コンテンツに実施するように電子装置をトリガしてもよい。当該ターゲット・アプリケーション・コンテンツ識別子Ｌｉｔｔｌｅ  Ｒａｂｂｉｔが属するアプリケーション・コンテンツは、当該ターゲット・アプリケーション・コンテンツ識別���Ｌｉｔｔｌｅ  Ｒａｂｂｉｔが属する曲のコンテンツである。
【００３３】
本発明の当該実施形態では、ターゲット・アプリケーション・コンテンツ識別子にマッチする制御オプション・リストがさらに光効果制御オプションを含んでもよく、当該光効果制御オプションが、ブリージング光効果制御オプション、トゥインクリング光効果制御オプション、勾配光効果制御オプション、および回転光効果制御オプションまたはそれらの組合せを含んでもよい。対応して、図１で説明した方法がさらに、以下のステップを含んでもよい。
【００３４】
ステップ１１）：モバイル端末が、第３の選択動作を制御オプション・リストに含まれる光効果制御オプションの何れか１つで検出する。
【００３５】
本発明の当該実施形態では、当該第３の選択動作がタップ動作またはダブル・タップ動作であってもよい。
【００３６】
ステップ１２）：モバイル端末が、当該第３の選択動作に応答して、無線リンクを用いることによって、選択された光効果制御オプションにマッチする光効果制御命令を電子装置に送信して、当該アプリケーションにより出力された光効果を制御するように電子装置をトリガする。
【００３７】
例えば、図３を参照すると、図３は、本発明の１実施形態に従うモバイル端末の別のインタフェース変化の略図である。図３に示すように、ステップＳ１０３でモバイル端末により出力されたアプリケーションに含まれるアプリケーション・コンテンツ識別子が、子供用マルチメディア再生アプリケーションに含まれるＬｉｔｔｌｅ  Ｒａｂｂｉｔ、Ｌｉｔｔｌｅ  Ｄｏｎｋｅｙ、およびＣｌａｐ  Ｙｏｕｒ  Ｈａｎｄｓのようなアプリケーション・コンテンツ識別子、英語版フェアリー・テイル・アプリケーション（電子書籍アプリケーション）に含まれる第１章、第２章、および第３章のようなアプリケーション・コンテンツ識別子、および会話シャドーイング・アプリケーションに含まれるレッスン１、レッスン２、およびレッスン３のようなアプリケーション・コンテンツ識別子を含んでもよいと仮定する。ステップＳ１０４でモバイル端末が当該第１の選択動作（即ち、タップ動作）を子供用マルチメディア再生アプリケーションに含まれる出力ターゲット・アプリケーション・コンテンツ識別子Ｌｉｔｔｌｅ  Ｒａｂｂｉｔで検出したとき、モバイル端末は、ステップＳ１０５において当該第１の選択動作に応答して、ターゲット・アプリケーション・コンテンツ識別子Ｌｉｔｔｌｅ  Ｒａｂｂｉｔにマッチする制御オプション・リストを出力してもよい。図３に示すように、ターゲット・アプリケーション・コンテンツ識別子Ｌｉｔｔｌｅ  Ｒａｂｂｉｔにマッチする制御オプション・リストはさらに、再生オプション、一時停止オプション、前曲オプション、次曲オプション、ボリューム・アップ・オプション、およびボリューム・ダウン・オプションのうち１つまたは複数のコンテンツ制御オプションに加えて、ブリージング光効果制御オプション、トゥインクリング光効果制御オプション、勾配光効果制御オプション、および回転光効果制御オプションのうち１つまたは複数の光効果制御オプションを含む。ステップＳ１０６でモバイル端末が当該第２の選択動作（即ち、タップ動作）を制御オプション・リストに含まれる再生制御オプションで検出したとき、ステップＳ１０７で、モバイル端末は、当該第２の選択動作に応答して、無線リンクを用いることによって、選択された再生制御オプションにマッチする再生制御命令を電子装置に送信して、アプリケーションを用いることによって、再生動作をターゲット・アプリケーション・コンテンツ識別子Ｌｉｔｔｌｅ  Ｒａｂｂｉｔが属するアプリケーション・コンテンツに実施するように電子装置をトリガしてもよい。さらに、モバイル端末が第３の選択動作（即ち、タップ動作）を当該制御オプション・リストに含まれるブリージング光効果制御オプションで検出したとき、モバイル端末は、当該第３の選択動作に応答して、無線リンクを用いることによって、選択されたブリージング光効果制御オプションにマッチするブリージング光効果制御命令を電子装置に送信し、アプリケーションにより出力されたブリージング光効果を制御するように電子装置をトリガしてもよい。それによりアプリケーションに対する光効果の制御が実現され、当該アプリケーションの学習の魅力が高まる。
【００３８】
本発明の当該実施形態では、図１で説明した方法では、無線リンクを電子装置と確立した後、モバイル端末はさらに、無線リンクを用いることによって、メディア・コンテンツを記憶または出力のために電子装置に送信してもよい。当該メディア・コンテンツは、オーディオ（会話を含む）、ビデオ、テキスト、およびエモーティコンまたはそれらの組合せを含み、本発明の当該実施形態では限定されない。
【００３９】
図１で説明した方法では、モバイル端末は、無線リンクを用いることによって、電子装置に格納されたアプリケーションに含まれるアプリケーション・コンテンツ識別子を読み取り、当該アプリケーションに含まれる当該アプリケーション・コンテンツ識別子を出力し、第１の選択動作が当該アプリケーションに含まれる出力ターゲット・アプリケーション・コンテンツ識別子で検出された後、当該ターゲット・アプリケーション・コンテンツ識別子にマッチする制御オプション・リストを出力でき、それに基づいて、モバイル端末が、第２の選択動作を当該制御オプション・リストに含まれるコンテンツ制御オプションの何れか１つで検出し、無線リンクを用いることによって、選択されたコンテンツ制御オプションにマッチするコンテンツ制御命令を電子装置に送信し、当該アプリケーションを用いることによって、当該ターゲット・アプリケーション・コンテンツ識別子が属するアプリケーション・コンテンツに制御動作を実施するように電子装置をトリガすることができる。したがって、図１で説明した方法では、アプリケーションに含まれるアプリケーション・コンテンツを、電子装置が遠くにある場合に効果的に制御することができる。
【００４０】
図４を参照すると、図４は、本発明の１実施形態に従う別の電子装置制御方法の略流れ図である。図４に示すように、当該方法が以下のステップを含んでもよい。
【００４１】
Ｓ４０１：電子装置が、モバイル端末との無線リンクを確立して、モバイル端末が、無線リンクを用いることによって、電子装置に格納されたアプリケーションに含まれるアプリケーション・コンテンツ識別子を読み取り、モバイル端末が当該アプリケーションに含まれる当該アプリケーション・コンテンツ識別子を出力し、モバイル端末が第１の選択動作を当該アプリケーションに含まれる出力ターゲット・アプリケーション・コンテンツ識別子で検出し、モバイル端末が、当該第１の選択動作に応答して、当該ターゲット・アプリケーション・コンテンツ識別子にマッチする制御オプション・リストを出力し、モバイル端末が第２の選択動作を当該制御オプション・リストに含まれるコンテンツ制御オプションの何れか１つで検出するようにする。
【００４２】
本発明の当該実施形態では、当該アプリケーション・コンテンツ識別子がアプリケーション・コンテンツの名前であってもよい。例えば、当該アプリケーション・コンテンツがナーサリ・ライム、ビデオまたはゲームである場合、当該アプリケーション・コンテンツ識別子がナーサリ・ライム、ビデオまたはゲームの名前であってもよく、当該アプリケーション・コンテンツが電子書籍である場合、当該アプリケーション・コンテンツ識別子が当該電子書籍の（第１章および第２章のような）チャプタ・シーケンス番号であってもよい。
【００４３】
本発明の当該実施形態では、コンテンツ制御オプションが、再生オプション、一時停止オプション、前曲オプション、次曲オプション、ボリューム・アップ・オプション、およびボリューム・ダウン・オプションまたはそれらの組合せを含んでもよい。
【００４４】
本発明の当該実施形態では、第１の選択動作がタップ動作またはダブル・タップ動作であってもよい。
【００４５】
本発明の当該実施形態では、第２の選択動作がタップ動作またはダブル・タップ動作であってもよい。
【００４６】
Ｓ４０２：電子装置が、無線リンクを用いることによって、モバイル端末により当該第２の選択動作に応答して送信された選択されたコンテンツ制御オプションにマッチするコンテンツ制御命令を受信する。
【００４７】
Ｓ４０３：電子装置が、当該コンテンツ制御命令に応答して、アプリケーションを用いることによって、ターゲット・アプリケーション・コンテンツ識別子が属するアプリケーション・コンテンツに対して制御動作を実施する。
【００４８】
例えば、ステップＳ４０２で電子装置により受信されたコンテンツ制御命令がターゲット・アプリケーション・コンテンツ識別子Ｌｉｔｔｌｅ  Ｒａｂｂｉｔが属するアプリケーション・コンテンツの再生制御命令であるとき、電子装置は、子供用マルチメディア再生アプリケーションを用いることによって、再生動作をターゲット・アプリケーション・コンテンツ識別子Ｌｉｔｔｌｅ  Ｒａｂｂｉｔが属するアプリケーション・コンテンツに対して実施してもよい。
【００４９】
本発明の当該実施形態では、当該ターゲット・アプリケーション・コンテンツ識別子にマッチする制御オプション・リストがさらに光効果制御オプションを含んでもよく、当該光効果制御オプションが、ブリージング光効果制御オプション、トゥインクリング光効果制御オプション、勾配光効果制御オプション、および回転光効果制御オプションまたはそれらの組合せを含んでもよい。対応して、モバイル端末が第３の選択動作を当該制御オプション・リストに含まれる光効果制御オプションの何れか１つで検出してもよい。対応して、図４で説明した方法がさらに、以下のステップを含んでもよい。
【００５０】
ステップ４１）：電子装置が、無線リンクを用いることによって、モバイル端末により当該第３の選択動作に応答して送信された選択された光効果制御オプションにマッチする光効果制御命令を受信する。
【００５１】
本発明の当該実施形態では、当該第３の選択動作がタップ動作またはダブル・タップ動作であってもよい。
【００５２】
ステップ４２）：電子装置が、当該光効果制御命令に応答して、アプリケーションにより出力された光効果を制御する。
【００５３】
例えば、ステップ４１）で電子装置により受信された光効果制御命令がブリージング光効果制御命令であるとき、電子装置は、当該ブリージング光効果制御命令に応答して、アプリケーションにより出力されたブリージング光効果を制御してもよい。当該ブリージング光効果制御命令が名前のようなアプリケーションの識別子情報を含んでもよい。
【００５４】
本発明の当該実施形態では、無線リンクをモバイル端末と確立した後、電子装置が、無線リンクを用いることによって、記憶または出力のためにモバイル端末により送信されたメディア・コンテンツを受信してもよい。当該メディア・コンテンツは、オーディオ（会話を含む）、ビデオ、テキスト、およびエモーティコンまたはそれらの組合せを含む。
【００５５】
図４で説明した方法では、電子装置を、当該電子装置から遠くにあるモバイル端末により制御でき、アプリケーションに含まれるアプリケーション・コンテンツに対する効果的な制御を実現することができる。
【００５６】
図５を参照すると、図５は本発明の１実施形態に従うモバイル端末の略構造図である。図５に示すように、モバイル端末が以下を備えてもよい。
【００５７】
無線リンク・ユニット５０１は、モバイル端末と電子装置の間で無線リンクを確立するように構成される。当該無線リンクがＢｌｕｅｔｏｏｔｈ（登録商標）無線リンク、Ｗｉ−Ｆｉ無線リンク等であってもよい。
【００５８】
読取りユニット５０２は、無線リンクを用いることによって、電子装置に格納されたアプリケーションに含まれるアプリケーション・コンテンツ識別子を読み取るように構成される。
【００５９】
本発明の当該実施形態では、当該アプリケーション・コンテンツ識別子がアプリケーション・コンテンツの名前であってもよい。例えば、アプリケーション・コンテンツがナーサリ・ライム、ビデオまたはゲームである場合、当該アプリケーション・コンテンツ識別子がナーサリ・ライム、ビデオまたはゲームの名前であってもよく、当該アプリケーション・コンテンツが電子書籍である場合、当該アプリケーション・コンテンツ識別子が当該電子書籍の（第１章および第２章のような）チャプタ・シーケンス番号であってもよい。
【００６０】
出力ユニット５０３は、アプリケーションに含まれるアプリケーション・コンテンツ識別子を出力するように構成される。
【００６１】
検出ユニット５０４は、第１の選択動作を当該アプリケーションに含まれる出力ターゲット・アプリケーション・コンテンツ識別子で検出するように構成される。
【００６２】
本発明の当該実施形態では、第１の選択動作がタップ動作またはダブル・タップ動作であってもよい。
【００６３】
出力ユニット５０３はさらに、当該第１の選択動作に応答して、当該ターゲット・アプリケーション・コンテンツ識別子にマッチする制御オプション・リストを出力するように構成される。
【００６４】
検出ユニット５０４はさらに、第２の選択動作を当該制御オプション・リストに含まれるコンテンツ制御オプションの何れか１つで検出するように構成される。
【００６５】
本発明の当該実施形態では、第２の選択動作がタップ動作またはダブル・タップ動作であってもよい。
【００６６】
本発明の当該実施形態では、当該コンテンツ制御オプションが、再生オプション、一時停止オプション、前曲オプション、次曲オプション、ボリューム・アップ・オプション、およびボリューム・ダウン・オプションまたはそれらの組合せを含んでもよい。
【００６７】
送信ユニット５０５は、当該第２の選択動作に応答して、無線リンクを用いることによって、選択されたコンテンツ制御オプションにマッチするコンテンツ制御命令を電子装置に送信して、アプリケーションを用いることによって、ターゲット・アプリケーション・コンテンツ識別子が属するアプリケーション・コンテンツに対して制御動作を実施するように電子装置をトリガするように構成される。
【００６８】
本発明の当該実施形態では、制御オプション・リストがさらに光効果制御オプションを含んでもよく、当該光効果制御オプションが、ブリージング光効果制御オプション、トゥインクリング光効果制御オプション、勾配光効果制御オプション、および回転光効果制御オプションまたはそれらの組合せを含んでもよい。
【００６９】
対応して、検出ユニット５０４はさらに、第３の選択動作を当該制御オプション・リストに含まれる光効果制御オプションの何れか１つで検出するように構成される。当該第３の選択動作がタップ動作またはダブル・タップ動作であってもよい。
【００７０】
対応して、送信ユニット５０５はさらに、当該第３の選択動作に応答して、無線リンクを用いることによって、選択された光効果制御オプションにマッチする光効果制御命令を電子装置に送信して、アプリケーションにより出力された光効果を制御するように電子装置をトリガするように構成される。
【００７１】
例えば、光効果制御オプションがブリージング光効果制御オプションであるとき、送信ユニット５０５は、ブリージング光効果制御命令を電子装置に送信して、アプリケーションにより出力されたブリージング光効果を制御するように電子装置をトリガしてもよい。当該ブリージング光効果制御命令が名前のようなアプリケーションの識別子情報を含んでもよい。
【００７２】
本発明の当該実施形態では、送信ユニット５０５はさらに、無線リンクを用いることによって、メディア・コンテンツを電子装置に送信するように構成される。当該メディア・コンテンツは、オーディオ（会話を含む）、ビデオ、テキスト、およびエモーティコンまたはそれらの組合せを含む。
【００７３】
したがって、アプリケーションに含まれるアプリケーション・コンテンツを、図５で説明したモバイル端末の実装により、電子装置が遠くにある場合に効果的に制御することができる。
【００７４】
図６を参照すると、図６は、本発明の１実施形態に従う電子装置の略構造図である。図６に示すように、電子装置が以下を含んでもよい。
【００７５】
無線リンク・ユニット６０１は、電子装置とモバイル端末の間で無線リンクを確立して、モバイル端末が、無線リンクを用いることによって、電子装置に格納されたアプリケーションに含まれるアプリケーション・コンテンツ識別子を読み取り、モバイル端末が当該アプリケーションに含まれる当該アプリケーション・コンテンツ識別子を出力し、モバイル端末が第１の選択動作を当該アプリケーションに含まれる出力ターゲット・アプリケーション・コンテンツ識別子で検出し、モバイル端末が、当該第１の選択動作に応答して、当該ターゲット・アプリケーション・コンテンツ識別子にマッチする制御オプション・リストを出力し、モバイル端末が第２の選択動作を当該制御オプション・リストに含まれるコンテンツ制御オプションの何れか１つで検出するようにするように構成される。
【００７６】
本発明の当該実施形態では、当該アプリケーション・コンテンツ識別子がアプリケーション・コンテンツの名前であってもよい。例えば、当該アプリケーション・コンテンツがナーサリ・ライム、ビデオまたはゲームである場合、当該アプリケーション・コンテンツ識別子がナーサリ・ライム、ビデオまたはゲームの名前であってもよく、当該アプリケーション・コンテンツが電子書籍である場合、当該アプリケーション・コンテンツ識別子が当該電子書籍の（第１章および第２章のような）チャプタ・シーケンス番号であってもよい。
【００７７】
本発明の当該実施形態では、当該コンテンツ制御オプションが、再生オプション、一時停止オプション、前曲オプション、次曲オプション、ボリューム・アップ・オプション、およびボリューム・ダウン・オプションまたはそれらの組合せを含んでもよい。
【００７８】
本発明の当該実施形態では、第１の選択動作がタップ動作またはダブル・タップ動作であってもよい。
【００７９】
本発明の当該実施形態では、第２の選択動作がタップ動作またはダブル・タップ動作であってもよい。
【００８０】
受信ユニット６０２は、無線リンクを用いることによって、モバイル端末により当該第２の選択動作に応答して送信された選択されたコンテンツ制御オプションにマッチするコンテンツ制御命令を受信するように構成される。
【００８１】
制御ユニット６０３は、当該コンテンツ制御命令に応答して、アプリケーションを用いることによって、当該ターゲット・アプリケーション・コンテンツ識別子が属するアプリケーション・コンテンツに対して制御動作を実施するように構成される。
【００８２】
例えば、受信ユニット６０２により受信されたコンテンツ制御命令が、ターゲット・アプリケーション・コンテンツ識別子Ｌｉｔｔｌｅ  Ｒａｂｂｉｔが属するアプリケーション・コンテンツの再生制御命令であるとき、制御ユニット６０３が、子供用マルチメディア再生アプリケーションを用いることによって、再生動作をターゲット・アプリケーション・コンテンツ識別子Ｌｉｔｔｌｅ  Ｒａｂｂｉｔが属するアプリケーション・コンテンツに実施してもよい。
【００８３】
本発明の当該実施形態では、当該ターゲット・アプリケーション・コンテンツ識別子にマッチする制御オプション・リストがさらに光効果制御オプションを含んでもよく、当該光効果制御オプションが、ブリージング光効果制御オプション、トゥインクリング光効果制御オプション、勾配光効果制御オプション、および回転光効果制御オプションまたはそれらの組合せを含んでもよい。対応して、モバイル端末が第３の選択動作を当該制御オプション・リストに含まれる光効果制御オプションの何れか１つで検出してもよく、対応して、受信ユニット６０２はさらに、無線リンクを用いることによって、モバイル端末により当該第３の選択動作に応答して送信された選択された光効果制御オプションにマッチする光効果制御命令を受信するように構成され、対応して、制御ユニット６０３はさらに、当該光効果制御命令に応答して、アプリケーションにより出力された光効果を制御するように構成される。
【００８４】
例えば、受信ユニット６０２により受信された光効果制御命令がブリージング光効果制御命令であるとき、制御ユニット６０３は、当該ブリージング光効果制御命令に応答して、アプリケーションにより出力されたブリージング光効果を制御してもよい。当該ブリージング光効果制御命令が名前のようなアプリケーションの識別子情報を含んでもよい。
【００８５】
本発明の当該実施形態では、無線リンク・ユニット６０１が電子装置とモバイル端末の間で無線リンクを確立した後、受信ユニット６０２はさらに、無線リンクを用いることによって、記憶または出力のためにモバイル端末により送信されたメディア・コンテンツを受信してもよい。当該メディア・コンテンツは、オーディオ（会話を含む）、ビデオ、テキスト、およびエモーティコンまたはそれらの組合せを含む。
【００８６】
図６で説明した電子装置では、電子装置を当該電子装置から遠くにあるモバイル端末により制御でき、アプリケーションに含まれるアプリケーション・コンテンツに対する効果的な制御を実現することができる。
【００８７】
図７を参照すると、図７は、本発明の１実施形態に従う電子装置制御システムの略構造図である。当該システムが、モバイル端末７０１とモバイル端末７０１に無線接続された電子装置７０２とを備えてもよい。モバイル端末７０１の構造および機能は図５で説明したモバイル端末のものと同じであり、電子装置７０２の構造および機能は図６で説明した電子装置のものと同じであり、本発明の当該実施形態では再度説明することはしない。
【００８８】
図７で説明するシステムでは、電子装置が遠くにある場合に、モバイル端末はアプリケーションに含まれるアプリケーション・コンテンツを効果的に制御することができる。
【００８９】
本発明の当該実施形態では、コンテンツ制御命令が、アプリケーションの識別子情報およびアプリケーション・コンテンツの識別子情報を含んでもよい。
【００９０】
以上の実施形態の方法のステップの全部または一部を関連ハードウェアに指示するプログラムによって実装してもよいことは当業者に理解されうる。当該プログラムをコンピュータ可読記憶媒体に格納してもよい。当該記憶媒体が、フラッシュ・ディスク、読取専用メモリ（ＲＯＭ）、ランダム・アクセス・メモリ（ＲＡＭ）、磁気ディスク、光ディスク等を含んでもよい。
【００９１】
以下で、本発明の諸実施形態で開示された電子装置制御方法およびシステム、および関連装置を詳細に説明する。本明細書では具体的な例を使用して、本発明の原理と実装方式を説明したが、以下の実施形態の説明は本発明の方法とその中心的な概念の理解を助けるためにのみ使用される。一方、当業者は、本発明の概念に従う具体的な実装方式と適用範囲において変形を加えてもよい。纏めると、本説明の内容は本発明に対する限定として理解されるべきではない。
【符号の説明】
【００９２】
５０１  無線リンク・ユニット
５０２  読取りユニット
５０３  出力ユニット
５０４  検出ユニット
５０５  送信ユニット
【図１】
0006380965.tif 000002
【図２】
0006380965.tif 000003
【図３】
0006380965.tif 000004
【図４】
0006380965.tif 000005
【図５】
0006380965.tif 000006
【図６】
0006380965.tif 000007
【図７】
0006380965.tif 000008